(57)【要約】【課題】テレビジョン受信装置から外部録画機器に対して録画予約を設定する場合、確認外部録画機器からの情報を録画設定時にテレビジョン受信装置側で表示させることにより、相違ない録画設定が行うことのできる録画予約機能を有するテレビジョン受信装置を提供する。【解決手段】操作部１３によってテレビジョン受信装置で録画予約を設定する手段によりリモコン送信機２１を通して信号Ｒが出力されたときに、その信号Ｒによって設定された外部機器が出力する予約確認画面出力Ｖをビデオ信号合成部３２よって合成処理を行い、画面表示部３３で予約設定内容の確認ができる手段を備えた構成である。【選択図】図１
2007329625.tif 000002
【特許請求の範囲】
【請求項１】
リモコン送信機と、外部録画機器への録画予約を行う手段を備えるテレビジョン受信装置であって、
前記外部録画機器への予約設定を行う場合に、前記外部録画機器に対して行う録画予約設定内容を表示する画面と、前記外部録画機器が出力する当該予約対象の予約確認画面を同一画面上に表示するテレビジョン受信装置。
【請求項２】
テレビジョン受信装置の画面において録画機器の予約を操作する予約設定画面を表示するとともにテレビジョン受信装置に接続された録画対象機器からの予約確認画面を同時に表示することを特徴とする請求項１に記載のテレビジョン受信装置。
【発明の詳細な説明】
【技術分野】
【０００１】
この発明は外部録画予約機器からの状態表示機能を有するテレビジョン受信装置に関するものである。
【背景技術】
【０００２】
テレビジョン受信装置に接続されるビデオ録画機器への録画制御を行う場合、テレビジョン受信装置からの録画予約情報はビデオ録画機器へ一方的に送信される。テレビジョン受信装置が録画予約を行うビデオ録画機器の情報はビデオ録画機器の機種に応じた情報をテレビジョン受信装置に登録する。ビデオ機器は機種によってリモコン情報の体系が異なり一意な情報では扱うことができない。したがってビデオ機種に応じ、機種毎の設定を受信機が認識する必要がある。
【０００３】
テレビジョン受信装置からビデオ録画装置に対して行われる録画予約の従来技術における一連の処理は以下の通りである。
【０００４】
（１）テレビジョン受信装置上で録画予約を行う機種を選択し、録画日、録画時間、録画チヤンネル、録画テープ速度などの情報を選択する。（２）次にテレビジョン受信装置上の画面操作で上記情報を確定する。（３）テレビジョン受信装置における赤外線リモコン送信部から該当するビデオ機器の録画信号が送出される。（４）ビデオ装置側は上記リモコン信号を受信し、録画設定を行う。（５）ビデオ装置側は、その直後予約確認画面をビデオ信号に出力する。
【特許文献１】特開平８−１０７５３８号公報
【発明の開示】
【発明が解決しようとする課題】
【０００５】
従来技術に係るテレビジョン受信装置においては、接続された外部録画機器に送信した録画予約情報が正しく伝達されたかどうかを確認するためには、テレビジョン受信装置に接続されている入力を録画動作の都度、手動により外部録画機器に切り換えて確認する必要がある。
【０００６】
本発明はテレビジョン受信装置から送られた録画予約信号が、ビデオ録画機器に確実に設定されたどうかをテレビジョン受信装置側で確認でき、さらに、ビデオ装置が出力する録画予約確認画面をテレビジョン受信装置側で表示させることにより録画設定の内容とその設定結果を確認できるようにすることを目的とする。
【課題を解決するための手段】
【０００７】
この発明はテレビジョン受信装置側から送られた予約録画のためのリモコン信号をビデオ録画機器が受信し録画予約動作がされると同時にビデオ録画機器から出力される予約確認画面をテレビジョン受信装置側の表示装置で該当するビデオ機器からの入力に自動的に切り換え、表示できることを特徴とする。
【０００８】
録画予約内容確認手段はテレビジョン受信装置側で設定された録画予約のための情報と、リモコン送信機を通じて送られたビデオ録画機器の録画設定の状態を画面分割処理により同時に表示し対比させることによりビデオ機器側で録画設定が確実に実行されたことを確認できる表示手段を備えていることを特徴とする。
【０００９】
複数の録画機器を有する場合における確認手段は、テレビ受信機にあらかじめ設定した録画機器の情報に基づき、テレビジョン受信装置上の操作により順次該当機器の設定状態を確認する機能を備えていることを特徴とする。
【発明の効果】
【００１０】
本発明によれば、テレビジョン受信装置からのビデオ録画装置への録画設定が確実に行われたことを確認できるようになる。さらには、ビデオ録画装置で行う録画設定の修正がテレビジョン受信装置で確認しながら実施できる。
【発明を実施するための最良の形態】
【００１１】
以下の図面によりこの発明の実施の形態について説明する。
【００１２】
（実施の形態１）
図１は本発明を実施する形態によるテレビジョン受信装置の構成を示している。
【００１３】
本テレビジョン受信装置は、外部にある録画機器の録画予約機能を備えており、外部録画機器制御用のリモコン送信部２１を有し、外部ビデオ録画機器のリモコン信号受光部Ｒに向けてリモコン信号を送信する機能を備えている。
【００１４】
テレビジョン受信装置の機能としてアンテナＡで受信したテレビ信号をテレビチューナ部４１で映像信号に変換し、ビデオ信号合成部３２で処理を行い画面表示部３３で視聴を行うものである。また、外部ビデオ録画機器の映像出力信号Ｖをビデオ入力部３１に接続する機能を備えているものである。
【００１５】
録画予約の入力は表示制御部１２によって出力された文字をテレビジョン受信装置内部のビデオ信号合成部３２により画面表示部３３で表示することにより行われる。録画予約設定は操作部１３により入力された予約情報をマイクロコンピュータ１０により処理され、その録画情報は録画予約管理部１１により管理される。
【００１６】
外部ビデオ機器の録画は、マイクロコンピュータ１０の処理により、録画予約管理部１１に設定されている情報に基づいた予約情報がリモコン送信部２１を通じて外部録画機器Ｒへ送信される。
【００１７】
本テレビジョン受信装置からのリモコン信号によって外部録画機器への設定が完了したとき、外部録画機器から録画予約確認画面が出力される。このとき録画予約管理部１１は該当する入力に応じてビデオ入力部３１を制御するとともにマイクロコントローラ１０の処理により、表示制御部１２がビデオ信号合成部３２を制御することによって操作部１３によって入力された録画予約情報と録画機器の予約確認画面とが合成され画面表示部３３で同時に確認ができるものである。
【００１８】
（実施の形態２）
図２は本発明を実施する形態におけるテレビジョン受信装置の画面の構成を示す図である。本発明のテレビジョン受信装置において、外部録画機器への録画を行う方法を説明する。
【００１９】
ステップ１はテレビジョン受信装置において録画予約のための必要な情報を入力する手順である。この手順において、テレビジョン受信装置に対しての操作により、外部録画機器へ送信するために必要な情報を順次設定するものである。
【００２０】
次にステップ２は、ステップ１で設定された録画予約のための情報を、外部録画機器へ送信する手段を提供する画面である。この画面において、テレビジョン受信装置からリモコン送信部を通じて外部録画機器へ録画予約の情報が送出される。
【００２１】
ステップ３は、ステップ２で送信を行った録画機器から出力された予約確認情報とステップ１の録画予約画面を同時に表示する画面である。なお、ステップ２の操作により、録画予約の情報が送出されると、自動的にテレビ受信機の画面はステップ３へ移行する。このステップ３の表示画面により、テレビ受信機で入力された録画予約情報が外部録画機器へ正確に送信され予約設定されたことが確認できるものである。
【００２２】
録画予約情報を確認したのち、ステップ４によりテレビジョン受信装置の録画予約画面に戻る。
【産業上の利用可能性】
【００２３】
本発明にかかる外部録画確認機能付きテレビジョン受信装置によれば、テレビジョン受信装置からのビデオ録画装置への録画設定が確実に行われたことを確認できるものであり、外部録画予約機器からの状態表示機能を有するテレビジョン受信装置等において有用である。
【図面の簡単な説明】
【００２４】
【図１】本発明の実施の形態１におけるテレビジョン受信装置における外部録画機器への録画予約装置の構成を示すブロック図
【図２】本発明の実施の形態２におけるテレビジョン受信装置における外部録画予約の方法を示すフローチャート
【符号の説明】
【００２５】
１０    マイクロコンピュータ
１１    録画予約管理部
１２    表示制御部
１３    操作部
２１    リモコン送信部
３１    ビデオ入力部
３２    ビデオ信号合成部
３３    画面表示部
４１    テレビチューナー部
【図１】
2007329625.tif 000003
【図２】
2007329625.tif 000004